(57)【要約】 【課題】  構成を簡素化し、組立て作業の容易化を図ることができるスピーカ装置を提供する。【解決手段】  周縁部２ａ，２ｂがフレーム３ａ，３ｂに固定され、振動板４ａ，４ｂを音響信号に応答して振動させる駆動部５ａ，５ｂを有する２つのスピーカユニット６ａ，６ｂを、各駆動部５ａ，５ｂに一端部がそれぞれ固定される一対の個別シャフト８ａ，８ｂと、各個別シャフト８ａ，８ｂの各他端部を相互に挟着する連結シャフト９とによって連結する。【選択図】      図１
2009273062.tif 000002
【特許請求の範囲】
【請求項１】
周縁部がフレームに固定される振動板を、音響信号に応答して振動させる駆動部を有する２つのスピーカユニットと、
各スピーカユニットが各駆動部を対向させた状態で設けられるスピーカボックスと、
各スピーカユニットの各駆動部に一端部がそれぞれ固定される一対の個別シャフトと、
各個別シャフトの各他端部を、相互に挟着して連結する連結シャフトとを含むことを特徴とするスピーカ装置。
【請求項２】
各スピーカユニットの各駆動部には、取付ねじ部がそれぞれ形成され、各個別シャフトの各一端部には、前記各取付ねじ部に螺合する第２の個別ねじ部が形成されることを特徴とする請求項１に記載のスピーカ装置。
【請求項３】
各個別シャフトには、締め付け工具を掛合するための掛合部がそれぞれ形成されることを特徴とする請求項２に記載のスピーカ装置。
【請求項４】
前記連結シャフトは、各個別シャフトを挟着する複数の連結シャフト部分から成ることを特徴とする請求項１〜３のいずれか１つに記載のスピーカ装置。
【請求項５】
前記連結シャフトは、各個別シャフトが挿通可能な中空の筒状部材と、筒状部材に挿通される各個別シャフトと前記筒状部材との間に介在される断面Ｃ字状の締付け部材と、筒状部材内の締付け部材を押圧して各個別シャフトを挟持する押圧手段とを含むことを特徴とする請求項４に記載のスピーカ装置。
【発明の詳細な説明】
【技術分野】
【０００１】
本発明は、スピーカボックスに背中合わせに装備されて互いに連結されるスピーカ装置に関する。
【背景技術】
【０００２】
スピーカボックスに伝わる振動によって、スピーカから位相のずれた音が発生し、音質が低下してしまうことを防止するためのスピーカ装置の従来技術は、たとえば特許文献１に記載されている。この先行技術では、スピーカボックスに背中合わせに設けられた２つのスピーカユニットの各駆動部に棒状のリブの一端部をそれぞれ固定し、各リブの他端部には互いに逆ねじを成すねじ部を形成し、各ねじ部を接続部材に両側から螺着して各他端部を相互に連結し、接続部材を締付けることによって、各スピーカユニットがスピーカボックスへの押付け力を大きくして締め付け状態とし、各リブの共振または共鳴音などが発生することを抑制して、音質の低下を防止している。
【０００３】
【特許文献１】特開２００１−３５２５９２号公報
【発明の開示】
【発明が解決しようとする課題】
【０００４】
前記従来技術では、各リブのねじ部を接続部材に螺着するに際して、各ねじ部は逆ねじが形成されるので、接続部材を回転させることによって各リブが相互に近接して締め付けられるように構成されるので、各リブの接続部材に対する締付け量を個別に変化させて、各スピーカユニットとスピーカボックスとのクリアランスを調整する必要がある。そのため、スピーカ装置の組立て作業の工程数が多く、組立て作業に手間を要するという問題がある。また、前記クリアランスを調整するために隙間ゲージなどの組付け治具を必要とし、組立て作業が煩雑であるという問題を有する。さらに、各スピーカユニットを締結するために、一方のスピーカユニットに設けられる一方のリブと、他方のスピーカユニットに設けられる他方のリブと、これらのリブを相互に連結するための接続部材との３種類の部材を必要とし、部材点数が多いという問題がある。
【０００５】
本発明の目的は、構成を簡素化し、組立て作業の容易化を図ることができるスピーカ装置を提供することである。
【課題を解決するための手段】
【０００６】
本発明（１）は、周縁部がフレームに固定される振動板を、音響信号に応答して振動させる駆動部を有する２つのスピーカユニットと、
各スピーカユニットが各駆動部を対向させた状態で設けられるスピーカボックスと、
各スピーカユニットの各駆動部に一端部がそれぞれ固定される一対の個別シャフトと、
各個別シャフトの各他端部を、相互に挟着して連結する連結シャフトとを含むことを特徴とするスピーカ装置である。
【０００７】
本発明（１）に従えば、各スピーカユニットは、振動板とフレームと駆動部とを備え、各振動板はその周縁部がフレームに固定され、各振動板は駆動部によって音響信号に応答して振動し、音響を発生する。これらのスピーカユニットの各駆動部には、個別シャフトが設けられ、駆動部を対向させた状態でスピーカボックスに設けられる。このようなスピーカユニットの各個別シャフトは、連結シャフトによって挟持して連結される。
【０００８】
したがって、各スピーカユニットをスピーカボックスに取付けた状態で、各個別シャフトを連結シャフトによって挟着すればよいので、前記従来技術のように、各リブおよび接続部材を回転させて締付け量を変化させながら、スピーカボックスと各スピーカユニットとのクリアランスを調整する必要がなく、煩雑なクリアランスの調整作業を行うことなしに、各スピーカユニットをスピーカボックスに対して容易に組み立てることができる。また、連結シャフトが各個別シャフトを挟持するように構成されるので、前記従来技術のように、ねじ部がそれぞれ形成されるリブおよび接続部材を用いる場合に比べて、部品点数を少なくして構成を簡素化することができる。
【発明の効果】
【０００９】
本発明（１）によれば、各個別シャフトを連結シャフトによって挟持して各個別シャフトが連結されるので、構成を簡素化し、組立て作業の容易化を図ることができる。
【発明を実施するための最良の形態】
【００１０】
図１は本発明の実施の一形態のスピーカ装置１の断面図であり、図２は連結シャフト９付近の斜視図である。本実施の形態のスピーカ装置１は、周縁部２ａ，２ｂがフレーム３ａ，３ｂに固定され、コーンとも呼ばれる振動板４ａ，４ｂを、音響信号に応答して振動させる駆動部５ａ，５ｂを有する２つのスピーカユニット６ａ，６ｂと、各スピーカユニット６ａ，６ｂが各駆動部５ａ，５ｂを対向させた状態で気密に設けられるスピーカボックス７と、各スピーカユニット６ａ，６ｂの各駆動部５ａ，５ｂに一端部がそれぞれ固定される一対の個別シャフト８ａ，８ｂと、各個別シャフト８ａ，８ｂの各他端部を、相互に挟着して連結する連結シャフト９とを含む。
【００１１】
前記各駆動部５ａ，５ｂは、振動板４ａ，４ｂを振動させるためのボイスコイル、磁気回路および端子などによって構成され、各磁気回路はプレート２０ａ，２０ｂ、マグネット２１ａ，２１ｂおよびヨーク２２ａ，２２ｂから成る。各スピーカユニット６ａ，６ｂは、同一の形状および構成であることが好ましいが、少なくとも同径の振動板４ａ，４ｂおよび同一形状の磁気回路を有していればよい。各フレーム３ａ，３ｂは金属などの剛性の高い材料から成る。
【００１２】
各スピーカユニット６ａ，６ｂの各駆動部５ａ，５ｂには、個別ねじ部１０ａ，１０ｂがそれぞれ形成され、各個別シャフト８ａ，８ｂの各一端部には、前記各個別ねじ部１０ａ，１０ｂに螺合する第２の個別ねじ部１１ａ，１１ｂが形成される。各個別シャフト８ａ，８ｂには、締め付け工具を掛合するための掛合部１２ａ，１２ｂがそれぞれ形成される。連結シャフト９は、各個別シャフト８ａ，８ｂを挟着する複数（本実施の形態では２）の連結シャフト部分９ａ，９ｂから成る。
【００１３】
各個別シャフト８ａ，８ｂは、本実施の形態においてはアルミニウム合金から成るが、剛性の高い合成樹脂から成ってもよい。連結シャフト９は、一対の半円筒状の連結シャフト部分９ａ，９ｂと、各連結シャフト部分９ａ，９ｂに軸部が挿通される固定ボルト１３と、固定ボルト１３に螺着されるナット１４とを有する。各連結シャフト部分９ａ，９ｂは、前述の各個別シャフト８ａ，８ｂ部分と同様に、アルミニウム合金またはその他の剛性の高い材料から成る。
【００１４】
前記スピーカボックス７は、中空の直方体状であって、一対の平行は側壁１５ａ，１５ｂには、スピーカユニット６ａ，６ｂが外部から嵌着される円筒状の嵌合孔１６ａ，１６ｂがそれぞれ形成され、各嵌合孔１６ａ，１６ｂに各フレーム３ａ，３ｂのフランジが複数のビスによって固定される。各嵌合孔１６ａ，１６ｂに装着された各スピーカユニット６ａ，６ｂの側壁１５ａ，１５ｂから外部に臨む領域は、側壁１５ａ，１５ｂに着脱自在に装着され、通気性を有するカバー体１７ａ，１７ｂによって覆われ、外部から振動板４ａ，４ｂに直接物体が接触することを防止している。
【００１５】
各スピーカユニット６ａ，６ｂの駆動部５ａ，５ｂに、音響信号が与えられると、各振動板４ａ，４ｂは駆動部５ａ，５ｂによって音響信号に応答して個別に振動し、音響を発生する。これらのスピーカユニット６ａ，６ｂの各駆動部５ａ，５ｂには、前述のように個別シャフト８ａ，８ｂがそれぞれ設けられ、各個別シャフト８ａ，８ｂは連結シャフト９によって挟持して連結される。
【００１６】
これによって、各フレーム３ａ，３ｂおよび各駆動部５ａ，５ｂの不要振動を抑制して、各振動板４ａ，４ｂの音響信号変換効率を向上することができる。また、各スピーカユニット６ａ，６ｂがスピーカボックス７に対してフローティング状態で保持されるため、各スピーカユニット６ａ，６ｂの振動がスピーカボックス７に伝達されにくく、スピーカボックス７の音鳴り現象を抑制して、スピーカボックス７から発生するノイズ成分を減少させることができる。
【００１７】
さらに、各スピーカユニット６ａ，６ｂとスピーカボックス７との組み付けに際して、各スピーカユニット６ａ，６ｂをスピーカボックス７にビス固定した状態で、各個別シャフト８ａ，８ｂを連結シャフト９によって挟着すればよいので、前記従来技術のように、各リブおよび接続部材を回転させて締付け量を変化させながら、スピーカボックスと各スピーカユニットとのクリアランスを調整する必要がなく、煩雑なクリアランスの調整作業を行うことなしに、各スピーカユニット６ａ，６ｂをスピーカボックス７に対して容易に組み立てることができる。また、連結シャフト９が各個別シャフト８ａ，８ｂを挟持するように構成されるので、前記従来技術のように、ねじ部がそれぞれ形成されるリブおよび接続部材を用いる場合に比べて、部品点数を少なくして構成を簡素化することができる。なお、各個別シャフト８ａ，８ｂは、各駆動部５ａ，５ｂに対してたとえば右ねじのように同一方向に回転して取付られる。これらの個別シャフト８ａ，８ｂを対向して連結することによって、ねじの回転方向がそれぞれ逆ねじの関係で連結されるので、各駆動部５ａ，５ｂに対するねじの回転によるゆるみが無くなる。
【００１８】
図３は、本発明の実施の他の形態のスピーカ装置１ａを示す分解斜視図である。なお、前述の実施の各形態と対応する部分には、同一の参照符を付す。本実施の形態では、連結シャフト９を構成する各連結シャフト部分９ａ，９ｂの長手方向中央部に、長手方向に沿って延び、前記固定ボルト１３の軸部が挿通する長孔３０ａ，３０ｂがそれぞれ形成される。また、各個別シャフト８ａ，８ｂのねじ部１１ａ，１１ｂには、調整ナット３１ａ，３１ｂが螺着される。各個別シャフト８ａ，８ｂのねじ部１１ａ，１１ｂが各駆動部５ａ，５ｂに螺着された状態で、各調整ナット３１ａ，３１ｂを締付けることによって、ボルト１３が長孔３０ａ，３０ｂに挿通できるよう各個別シャフト８ａ，８ｂの相互の向きを予め個別に調整した後、各個別シャフト８ａ，８ｂの各他端部を連結シャフト９に挟持して連結することができる。
【００１９】
このような構成を採用することによって、前述の実施の形態と同様な効果を達成するとともに、各個別シャフト８ａ，８ｂと各連結シャフト９ａ，９ｂとをそれぞれ一体化することによって部品点数を削減でき、さらに組立て作業を簡素化して、スピーカ装置１ａの生産性を向上することができる。
【００２０】
図４は本発明の実施のさらに他の形態のスピーカ装置１ｂを示す断面図であり、図５は連結シャフト９付近の斜視図であり、図６は連結シャフト９を図５の切断面線ＶＩ−ＶＩから見た断面図である。なお、前述の実施の形態と対応する部分には、同一の参照符を付す。
【００２１】
本実施の形態のスピーカ装置１ｂは、前記連結シャフト９が、各個別シャフト８ａ，８ｂが挿通可能な中空の筒状部材３３と、筒状部材３３に挿通される各個別シャフト８ａ，８ｂと前記筒状部材３３との間に介在される断面Ｃ字状の締付け部材３４と、筒状部材３３内の締付け部材３４を押圧して各個別シャフト８ａ，８ｂを挟持する押圧手段である押圧ボルト３５とを含む。
【００２２】
このような構成を採用することによって、押圧ボルト３５を締付けるだけで各個別シャフト８ａ，８ｂを筒状部材３３内で締付け部材３４によって挟持することができるので、各個別シャフト８ａ，８ｂの連結作業を一人の作業者によって行うことができ、スピーカ装置の組立て作業を容易化し、生産性の向上を図ることができる。
【図面の簡単な説明】
【００２３】
【図１】本発明の実施の一形態のスピーカ装置１の断面図である。
【図２】連結シャフト９付近の斜視図である。
【図３】本発明の実施の他の形態のスピーカ装置１ａを示す分解斜視図である。
【図４】図４は本発明の実施のさらに他の形態のスピーカ装置１ｂを示す断面図である。
【図５】連結シャフト９付近の斜視図である。
【図６】連結シャフト９を図５の切断面線ＶＩ−ＶＩから見た断面図である。
【符号の説明】
【００２４】
１，１ａ，１ｂ  スピーカ装置
２ａ，２ｂ  周縁部
３ａ，３ｂ  フレーム
４ａ，４ｂ  振動板
５ａ，５ｂ  駆動部
６ａ，６ｂ  スピーカユニット
７  スピーカボックス
８ａ，８ｂ  個別シャフト
９  連結シャフト
１０ａ，１０ｂ；１１ａ，１１ｂ  個別ねじ部
１３  固定ボルト
１４  ナット
１５ａ，１５ｂ  側壁
１６ａ，１６ｂ  嵌合孔
２０ａ，２０ｂ  プレート
２１ａ，２１ｂ  マグネット
２２ａ，２２ｂ  ヨーク
【図１】
2009273062.tif 000003
【図２】
2009273062.tif 000004
【図３】
2009273062.tif 000005
【図４】
2009273062.tif 000006
【図５】
2009273062.tif 000007
【図６】
2009273062.tif 000008